(57)【特許請求の範囲】
【請求項１】
電力配送管理装置と電力配送移動体とを備え、
前記電力配送管理装置は、
配送地域における各需要家施設の蓄電池の必要充電電力量または必要放電電力量を取得する必要充放電電力量取得部と、
前記必要充放電電力量取得部により取得された各蓄電池の必要充電電力量または必要放電電力量に基づいて、前記蓄電池への充電に対応する充電価格、または、蓄電池から放電させた電力の価格である放電価格を決定する充放電価格決定部とを備え、
前記電力配送移動体は、各需要家施設の蓄電池を対象として、前記必要充放電電力量取得部により取得された必要充電電力量または必要放電電力量に応じた充電または放電を行うようにして需要家施設間を移動する
電力配送システム。
【請求項２】
前記必要充放電電力量取得部は、
蓄電池から送信される前記蓄電池の状態を示す蓄電池状態情報に基づいて決定された前記必要充電電力量または前記必要放電電力量を取得する
請求項１に記載の電力配送システム。
【請求項３】
前記必要充放電電力量取得部は、
前記需要家施設に対応する需要家からの前記蓄電池に対する充電注文または放電注文に基づいて決定された前記必要充電電力量または前記必要放電電力量を取得する
請求項１または２に記載の電力配送システム。
【請求項４】
電力配送管理装置と共用蓄電池と電力配送移動体とを備え、
前記電力配送管理装置は、
配送地域における各需要家施設の蓄電池の必要充電電力量または必要放電電力量を取得する必要充放電電力量取得部と、
前記蓄電池への充電に対応する充電価格、または、蓄電池から放電させた電力の価格である放電価格を決定する充放電価格決定部とを備え、
前記電力配送移動体は、各需要家施設の蓄電池を対象として、前記必要充放電電力量取得部により取得された必要充電電力量または必要放電電力量に応じた充電または放電を行うようにして需要家施設間を移動し、
前記共用蓄電池は、前記需要家施設の蓄電池から前記電力配送移動体に充電された電力が蓄電されるとともに、前記必要充電電力量に応じた電力が前記電力配送移動体に充電されるように放電が行われ、
前記充放電価格決定部は、前記共用蓄電池に蓄積されている電力量に基づいて、前記充電価格または放電価格を決定する
電力配送システム。
【請求項５】
前記配送地域の外に設置され、前記電力配送移動体に電力を充電する地域外蓄電池をさらに備える
請求項１から４のいずれか一項に記載の電力配送システム。
【請求項６】
前記需要家施設における蓄電池は、車両を駆動する電源として前記車両に備えられる蓄電池である
請求項１から５のいずれか一項に記載の電力配送システム。
【請求項７】
電力配送管理装置と電力配送移動体とを備える電力配送システムにおける電力配送方法であって、
前記電力配送管理装置は、
配送地域における各需要家施設の蓄電池の必要充電電力量または必要放電電力量を取得する必要充放電電力量取得ステップと、
前記必要充放電電力量取得ステップにより取得された各蓄電池の必要充電電力量または必要放電電力量に基づいて、蓄電池への充電に対応する充電価格、または、蓄電池から放電させた電力の価格である放電価格を決定する充放電価格決定ステップとを含み、
前記電力配送移動体は、各需要家施設の蓄電池を対象として、前記必要充放電電力量取得ステップにより取得された必要充電電力量または必要放電電力量に応じた充電または放電を行うようにして需要家施設間を移動する
電力配送方法。
【請求項８】
電力配送管理装置と電力配送移動体と共用蓄電池とを備える電力配送システムにおける電力配送方法であって、
前記電力配送管理装置は、
配送地域における各需要家施設の蓄電池の必要充電電力量または必要放電電力量を取得する必要充放電電力量取得ステップと、
前記蓄電池への充電に対応する充電価格、または、蓄電池から放電させた電力の価格である放電価格を決定する充放電価格決定ステップとを備え、
前記電力配送移動体は、各需要家施設の蓄電池を対象として、前記必要充放電電力量取得ステップにより取得された必要充電電力量または必要放電電力量に応じた充電または放電を行うようにして需要家施設間を移動し、
前記共用蓄電池は、前記需要家施設の蓄電池から前記電力配送移動体に充電された電力が蓄電されるとともに、前記必要充電電力量に応じた電力が前記電力配送移動体に充電されるように放電が行われ、
前記充放電価格決定ステップは、前記共用蓄電池に蓄積されている電力量に基づいて、前記充電価格または放電価格を決定する
電力配送方法。
【発明の詳細な説明】
【技術分野】
【０００１】
本発明は、電力配送システム及び電力配送方法に関する。
【背景技術】
【０００２】
例えばコンビニエンスストアなど、特定のエリアに存在する複数の施設のそれぞれに発電設備と蓄電池とを設け、或る施設の蓄電池の余剰電力を配送車のバッテリに充電し、配送車が他の施設まで移動し、バッテリに充電された電力を他の施設における蓄電池に充電するという電力配送システムが知られている（例えば、特許文献１参照）。
【先行技術文献】
【特許文献】
【０００３】
【特許文献１】特開２０１１−１４２７７９号公報
【発明の概要】
【発明が解決しようとする課題】
【０００４】
例えば、車両などの電力配送移動体により需要家が備える蓄電池から余剰電力を買い取るための充電を行ったり、蓄電池に充電を行ったりする電力配送サービスを運営することが考えられる。
しかし、特許文献１に記載の電力配送システムは、あくまでもコンビニエンスストアなどの特定の施設間で、単に蓄電池の余剰電力を融通し合うというものである。従って、上記のような電力配送サービスに特許文献１のシステムをそのまま適用しても適切な運用を行うことが難しい。
【０００５】
本発明は、このような事情に鑑みてなされたもので、電力配送移動体により需要家が備える蓄電池を対象として充電または放電を行う電力配送サービスを適切に運用できるようにすることを目的とする。
【課題を解決するための手段】
【０００６】
上述した課題を解決するための本発明の一態様は、電力配送管理装置と電力配送移動体とを備え、前記電力配送管理装置は、配送地域における各需要家施設の蓄電池の必要充電電力量または必要放電電力量を取得する必要充放電電力量取得部と、前記必要充放電電力量取得部により取得された各蓄電池の必要充電電力量または必要放電電力量に基づいて、蓄電池への充電に対応する充電価格、または、蓄電池から放電させた電力の価格である放電価格を決定する充放電価格決定部とを備え、前記電力配送移動体は、各需要家施設の蓄電池を対象として、前記必要充放電電力量取得部により取得された必要充電電力量または必要放電電力量に応じた充電または放電を行うようにして需要家施設間を移動する電力配送システムである。
【０００７】
また、本発明の一態様は、上記の電力配送システムであって、必要充放電電力量取得部は、蓄電池から送信される前記蓄電池の状態を示す蓄電池状態情報に基づいて決定された前記必要充電電力量または前記必要放電電力量を取得してもよい。
【０００８】
また、本発明の一態様は、上記の電力配送システムであって、前記必要充放電電力量取得部は、前記需要家施設に対応する需要家からの前記蓄電池に対する充電注文または放電注文に基づいて決定された前記必要充電電力量または前記必要放電電力量を取得してもよい。
【０００９】
本発明の一態様は、電力配送管理装置と共用蓄電池と電力配送移動体とを備え、前記電力配送管理装置は、配送地域における各需要家施設の蓄電池の必要充電電力量または必要放電電力量を取得する必要充放電電力量取得部と、前記蓄電池への充電に対応する充電価格、または、蓄電池から放電させた電力の価格である放電価格を決定する充放電価格決定部とを備え、前記電力配送移動体は、各需要家施設の蓄電池を対象として、前記必要充放電電力量取得部により取得された必要充電電力量または必要放電電力量に応じた充電または放電を行うようにして需要家施設間を移動し、前記共用蓄電池は、前記需要家施設の蓄電池から前記電力配送移動体に充電された電力が蓄電されるとともに、前記必要充電電力量に応じた電力が前記電力配送移動体に充電されるように放電が行われ、前記充放電価格決定部は、前記共用蓄電池に蓄積されている電力量に基づいて、前記充電価格または放電価格を決定する電力配送システムである。
【００１０】
また、本発明の一態様は、上記の電力配送システムであって、前記配送地域の外に設置され、前記電力配送移動体に電力を充電する地域外蓄電池をさらに備えてもよい。
【００１１】
また、本発明の一態様は、上記の電力配送システムであって、前記需要家施設における蓄電池は、車両を駆動する電源として前記車両に備えられる蓄電池であってもよい。
【００１２】
本発明の一態様は、電力配送管理装置と電力配送移動体とを備える電力配送システムにおける電力配送方法であって、前記電力配送管理装置は、配送地域における各需要家施設の蓄電池の必要充電電力量または必要放電電力量を取得する必要充放電電力量取得ステップと、前記必要充放電電力量取得ステップにより取得された各蓄電池の必要充電電力量または必要放電電力量に基づいて、蓄電池への充電に対応する充電価格、または、蓄電池から放電させた電力の価格である放電価格を決定する充放電価格決定ステップとを含み、前記電力配送移動体は、各需要家施設の蓄電池を対象として、前記必要充放電電力量取得ステップにより取得された必要充電電力量または必要放電電力量に応じた充電または放電を行うようにして需要家施設間を移動する電力配送方法である。
【００１３】
本発明の一態様は、電力配送管理装置と電力配送移動体と共用蓄電池とを備える電力配送システムにおける電力配送方法であって、前記電力配送管理装置は、配送地域における各需要家施設の蓄電池の必要充電電力量または必要放電電力量を取得する必要充放電電力量取得ステップと、前記蓄電池への充電に対応する充電価格、または、蓄電池から放電させた電力の価格である放電価格を決定する充放電価格決定ステップとを備え、前記電力配送移動体は、各需要家施設の蓄電池を対象として、前記必要充放電電力量取得ステップにより取得された必要充電電力量または必要放電電力量に応じた充電または放電を行うようにして需要家施設間を移動し、前記共用蓄電池は、前記需要家施設の蓄電池から前記電力配送移動体に充電された電力が蓄電されるとともに、前記必要充放電電力量に応じた電力が前記電力配送移動体に充電されるように放電が行われ、前記充放電価格決定ステップは、前記共用蓄電池に蓄積されている電力量に基づいて、前記充電価格または放電価格を決定する電力配送方法である。
【発明の効果】
【００１４】
以上説明したように、本発明によれば、電力配送移動体により需要家が備える蓄電池を対象として充電または放電を行う電力配送サービスを適切に運用できるようになるという効果が得られる。
【図面の簡単な説明】
【００１５】
【図１】第１実施形態における電力配送システムの構成例を示す図である。
【図２】第１実施形態における電力配送管理装置の構成例を示す図である。
【図３】第１実施形態における必要充放電電力量テーブルの一例を示す図である。
【図４】第１実施形態における充放電価格テーブルの一例を示す図である。
【図５】第１実施形態における電力配送管理装置が実行する処理手順例を示すフローチャートである。
【図６】第２実施形態における電力配送システムの構成例を示す図である。
【図７】第３実施形態における電力配送システムの構成例を示す図である。
【図８】第４実施形態における電力配送システムの構成例を示す図である。
【発明を実施するための形態】
【００１６】
＜第１実施形態＞
以下、本発明の一実施形態による電力配送システムについて図面を参照して説明する。
図１は、本実施形態における電力配送システムの構成例を示している。同図に示すように、本実施形態の電力配送システムは、電力配送センタ１０が配送地域２０における複数の需要家施設３０−１〜３０−５における蓄電池３００を対象とする電力配送サービスに関する各種管理を行う。
なお、以降の説明にあたり、需要家施設３０−１〜３０−５について特に区別する必要の無い場合には需要家施設３０と記載する。また、同図においては、配送地域２０に５つの需要家施設３０−１〜３０−５が存在する例を示しているが、配送地域２０に存在する需要家施設３０の数は特に限定されない。
【００１７】
また、本実施形態において電力配送は配送車８００（電力配送移動体の一例）により行われる。
配送車８００は、蓄電池８０１と、蓄電池８０１に対応する充放電装置８０２を備えている。例えば配送車８００を運転する配送作業者は、充放電装置８０２を使用して、蓄電池８０１に対する充電及び放電を行うことができる。
【００１８】
本実施形態における電力配送とは、配送車８００が配送地域２０における需要家施設３０間を移動しながら、蓄電池８０１から需要家施設３０の蓄電池３００への充電と、需要家施設３０の蓄電池３００から蓄電池８０１への充電を行うことを指す。
ここで、蓄電池８０１から需要家施設３０の蓄電池３００への充電は、需要家から見た場合には、電力配送サービス提供者からの買電である。一方、需要家施設３０の蓄電池３００から蓄電池８０１への充電は、需要家から見た場合には、電力配送サービス提供者への売電である。
【００１９】
需要家施設３０は、需要家が使用する施設である。需要家施設３０は、例えば住宅の他、商用施設、工場、病院などの施設であってもよい。
需要家施設３０−１は、蓄電池３００、太陽電池４００、ネットワーク端末５００、電話機６００を備える。
【００２０】
蓄電池３００は、商用電源や太陽電池４００から供給された電力を蓄積することができる。さらに、本実施形態においては前述のように配送車８００の蓄電池８０１から供給される電力を蓄積することもできる。
また、蓄電池３００は、蓄積された電力を例えば需要家施設３０−１内の各種電子機器などの負荷が使用する電力として供給することができる。また、蓄電池３００に蓄積された電力は、電力配送サービス提供者に売電することができる。売電にあたっては、前述のように蓄電池３００から放電させた電力を配送車８００が備える蓄電池８０１に充電させる。
蓄電池３００は、配送車８００の蓄電池８０１と接続可能なプラグを備える。
【００２１】
蓄電池３００には、例えばリチウムイオン電池を使用できる。
また、配送車８００の蓄電池８０１には、例えばリチウムイオン電池、鉛電池、ナトリウム・イオン電池などを採用できる。
【００２２】
本実施形態において、蓄電池３００は、電力配送サービス提供者により需要家に対して販売あるいは貸与される。また、電力配送サービス提供者から購入、あるいは貸与されていない蓄電池であっても、電力配送サービス提供者と需要家との契約により、本実施形態の電力配送サービスを受けることができる。
【００２３】
本実施形態における蓄電池３００は、通信機能を有しており、蓄電池対応通信網４０を経由して電力配送センタ１０の電力配送管理装置１００と通信可能に接続される。蓄電池３００は、定期的に、あるいは、電力配送管理装置１００からの要求に応答して、自己の状態を示す蓄電池状態情報を電力配送管理装置１００に送信する。蓄電池状態情報には、例えばＳＯＣ（State Of Charge）が含まれる。ＳＯＣは、蓄電池３００における満充電の状態に対する現在の蓄電量の比率である。
なお、同図の例では、蓄電池３００自体が通信機能を有し、蓄電池３００と電力配送管理装置１００とが直接的に通信を行う構成を示している。しかし、例えば蓄電池３００が需要家施設３０において備えられた通信機能を有する装置を介して電力配送管理装置１００と通信可能に接続されてもよい。
【００２４】
また、需要家施設におけるネットワーク端末５００は、ネットワーク５０を介して電力配送管理装置１００と通信可能に接続される。
ここで、電力配送管理装置１００は、蓄電池３００に対する充電（買電）の注文（充電注文）あるいは蓄電池３００に蓄積された電力の放電（売電）の注文（放電注文）を需要家から受けるための充放電注文用ウェブサイトを提供するウェブサーバとしても機能する。
ネットワーク端末５００が電力配送管理装置１００と接続されることで、ネットワーク端末５００にて充放電注文用ウェブサイトが表示される。
需要家は、ネットワーク端末５００にて表示された充放電注文用ウェブサイトに対する操作により、充電注文あるいは放電注文を行うことができる。
ネットワーク端末５００としては、例えばパーソナルコンピュータ、タブレット端末、スマートフォンなどをはじめネットワークと接続可能な端末であればよい。
【００２５】
また、需要家は、電話機６００により電力配送センタ１０に電話をかけることで、充電注文、放電注文を行うことができる。電力配送センタ１０におけるオペレータは、需要家からかかってきた電話を、電話機２００により受ける。
【００２６】
また、需要家施設３０−２として示すように、需要家施設３０においては、必ずしも太陽電池４００が設けられていなくともよい。
残る需要家施設３０−３、３０−４、３０−５は、それぞれ、需要家施設３０−１のように太陽電池４００が設けられた設備構成と、需要家施設３０−２のように太陽電池４００が設けられていない設備構成とのいずれかを有する。
【００２７】
これまでの説明から理解されるように、電力配送センタ１０における電力配送管理装置１００には、各需要家施設３０の蓄電池３００から蓄電池状態情報が送信されてくる。
そこで、電力配送管理装置１００は、蓄電池状態情報に基づいて各蓄電池３００のＳＯＣを把握し、把握した結果に基づいて蓄電池３００ごとに必要な充電電力量（必要充電電力量）または必要な放電電力量（必要放電電力量）を決定する。
【００２８】
例えば、電力配送管理装置１００は、蓄電池３００ごとの仕様として充電可能容量を記憶している。電力配送管理装置１００は、例えば蓄電池状態情報が示す蓄電池３００のＳＯＣと充電可能容量とから蓄電池３００に充電可能な電力量を求め、求められた充電可能な電力量に基づいて必要充電電力量を決定できる。また、電力配送管理装置１００は、蓄電池状態情報が示す蓄電池３００のＳＯＣが予め定めた閾値より大きい場合に、閾値より大きい余剰分のＳＯＣに応じた電力量を必要放電電力量として決定することができる。
なお、上記の必要充電電力量と必要放電電力量の決定の仕方はあくまでも一例である。
なお、以降の説明において、必要充電電力量と必要放電電力量とで特に区別しない場合には、必要充放電電力量と記載する。
【００２９】
必要充放電電力量の決定は、予め定められた配送計画決定時間において行われるようにすればよい。配送計画決定時間は、例えば１日ごとにおける一定時刻のように定期的に定められる。
【００３０】
そのうえで、電力配送センタ１０には、需要家のネットワーク端末５００または電話により充電注文または放電注文が行われる場合がある。
充電注文は、例えば、翌日において大掃除やホームパーティなどでいつもよりも多くの電力を消費する可能性があるなど、蓄電池状態情報に基づいて決定される充電電力量よりも多くの充電電力量が必要となった場合に行われる。
また、放電注文は、例えば明日から数日間不在になるので、太陽電池４００により発電され、蓄電池３００に充電された電力は全て売電したいといったような場合に行われる。
なお、以降において充電注文と放電注文とで特に区別しない場合には充放電注文と記載する。
【００３１】
ネットワーク端末５００から充放電注文が行われた場合、電力配送管理装置１００はネットワーク端末５００から受けた充放電注文の内容を、充放電注文情報として記憶する。
また、電話により充放電注文が行われた場合、電力配送センタ１０におけるオペレータが、電話にて受けた充放電注文の内容を電力配送管理装置１００に充放電注文情報として入力する。電力配送管理装置１００は、入力された充放電注文情報を記憶する。
【００３２】
そして、電力配送管理装置１００は、上記の配送計画決定時間において、或る１つの需要家施設３０における蓄電池３００について、その需要家施設３０に対応して充放電注文情報が記憶されているか否かに応じて、以下のように必要充放電電力量を決定する。
つまり、電力配送管理装置１００は、充放電注文情報が記憶されていない場合には、蓄電池３００から送信された蓄電池状態情報に基づいて必要充放電電力量を決定する。一方、電力配送管理装置１００は、充放電注文情報が記憶されていた場合には、充放電注文情報に基づいて必要充放電電力量を決定する。
なお、充放電注文情報が記憶されていた場合であっても、電力配送管理装置１００は、必要に応じて蓄電池状態情報も利用して必要充放電電力量を決定してよい。例えば電力配送管理装置１００は、蓄電池状態情報に基づいて基本的な必要充放電電力量を決定しておく。そのうえで、電力配送管理装置１００は、充放電注文情報が記憶されている場合には、充放電注文情報が示す注文内容に応じて、蓄電池状態情報に基づいて決定した基本的な必要充放電電力量を修正するようにしてもよい。
【００３３】
上記のようにして、電力配送管理装置１００は、需要家施設３０の蓄電池３００ごとに必要充放電電力量を決定する。そして、電力配送管理装置１００は、需要家施設３０の蓄電池３００ごとに決定された必要充放電電力量を利用して、充放電価格を決定する。
充放電価格は、充電価格と放電価格とに分けられる。充電価格は、必要充電電力量が決定された蓄電池３００に充電を行うのに応じて、需要家が電力配送サービス提供者に支払うべき買電価格である。放電価格は、必要放電電力量が決定された蓄電池３００を放電させた電力を受け取るのに応じて、需要家が電力配送サービス提供者から受け取るべき売電価格（電力配送サービス提供者の買い取り価格）である。
【００３４】
ここで、充放電価格は、標準の買電価格、売電価格を基として、必要充電電力量と必要放電電力量とのバランスに基づいて決定することができる。
また、本実施形態における充放電価格は、配送計画決定時間ごとに応じて更新されるものとなる。しかし、例えば、リアルタイムに充放電注文などを処理することで必要充電電力量と必要放電電力量とを求めるようにしたうえで、例えば終日において変動するようなものであってもよい。
また、例えば充放電注文用ウェブサイトにおいて、現在の充放電価格や直近の数日間における充放電価格を気象状態などとともに表示して、需要家が充放電注文を行うときの参考にできるようにしてもよい。
【００３５】
また、電力配送管理装置１００は、充電価格については蓄電池３００への充電を行うべき需要家施設３０ごとに一律の電力単価を決定することができる。同様に、電力配送管理装置１００は、放電価格についても蓄電池３００から放電を行うべき需要家施設３０ごとに一律の電力単価を決定することができる。
あるいは、電力配送管理装置１００は、例えば蓄電池３００への充電を行うべき需要家施設３０ごとの必要充電電力量、必要放電電力量などに応じて、需要家施設３０ごとに異なる充電価格、放電価格を決定してもよい。さらに、電力配送サービスの継続契約期間や時間帯などに応じた割引などが充電価格、放電価格に適用されてもよい。
【００３６】
電力配送管理装置１００は、上記のように充放電価格を決定するとともに、各需要家施設３０の必要充放電電力量に基づいて、配送車８００による電力の配送計画を決定する。
ここでの配送計画の決定とは、配送車８００により充電または放電の対象の蓄電池３００を備える需要家施設３０を巡回する経路を決定することに相当する。また、配送計画として、出発時において配送車８００の蓄電池８０１に事前に蓄積しておくべき電力量も決定される。
【００３７】
例えば、充電の対象となる全ての蓄電池３００の必要充電電力量の総量が、放電の対象となる全ての蓄電池３００の必要放電電力量の総量よりも少ない場合には、必要充電電力量の総量を必要放電電力量の総量で賄える。
この場合には、例えば電力配送管理装置１００は、出発時における配送車８００の蓄電池８０１の蓄電量をゼロでよいものと決定する。そのうえで、電力配送管理装置１００は、以下のように巡回経路を計画する。
つまり、まず、放電の対象となる蓄電池３００を備える需要家施設３０をいくつか先に巡回して、一定以上の電力を蓄電池８０１に蓄積させたうえで、次に充電の対象となる蓄電池３００を備える需要家施設３０をいくつか巡回して蓄電池８０１による充電を行っていく。そして蓄電池８０１の蓄積電力が少なくなったら、同様にして、放電の対象となる蓄電池３００を備える需要家施設３０をいくつか巡回して蓄電池８０１に電力を十分に蓄積し、充電の対象となる蓄電池３００を備える需要家施設３０を巡回する、という巡回経路である。
【００３８】
一方、必要充電電力量の総量を必要放電電力量の総量で賄えない場合には、電力配送管理装置１００は、例えば、必要充電電力量の総量と必要放電電力量の総量との差分に基づいて出発時における配送車８００の蓄電池８０１の蓄電量を決定する。なお、本実施形態において、蓄電池８０１への充電は、例えば図示していない外部の系統（既設の電力インフラストラクチャ）から電力配送サービス提供者が買電することにより行われる。
そのうえで、電力配送管理装置１００は、充電の対象となる蓄電池３００を備える需要家施設３０と放電の対象となる蓄電池３００を備える需要家施設３０とを巡回するという巡回経路を決定する。
【００３９】
なお、配送地域２０を巡回する配送車８００は、複数台であってもよい。この場合の電力配送管理装置１００は、複数の配送車８００ごとに巡回経路を計画する。
【００４０】
そして、配送車８００の運転手（配送作業者）は、電力配送管理装置１００により決定された配送計画の通知を受ける。配送計画の通知は、例えば、電力配送管理装置１００から配送計画を印刷などにより出力させた用紙を電力配送センタ１０のオペレータから受け取るようにしてもよい。あるいは、電力配送管理装置１００からネットワークを経由して配送作業者が携帯するネットワーク端末に配送計画を送信することにより、配送作業者に通知してもよい。
あるいは、携帯電話や専用無線通信などによって、適宜、巡回先がオペレータから配送作業者に通知されるようにしてもよい。
そして、配送作業者は、通知された配送計画に従って配送地域２０における巡回先の需要家施設３０に配送車８００で移動していきながら、需要家施設３０の蓄電池３００に対して、蓄電池８０１を利用して充電または放電を適宜行っていく。
【００４１】
このようにして本実施形態においては、需要家施設３０における蓄電池３００に、配送車８００を用いて充電または放電を行わせるようにして電力配送サービスが行われる。
このような電力配送サービスは、配送車８００が各需要家施設３０を巡回して蓄電池３００に充電または放電を行わせるというものであるため、既設の電力インフラストラクチャを利用しなくともよい。
既設の電力インフラストラクチャを利用する場合、例えば蓄電池３００の電力を売電しようとして電力系統に逆潮流させた場合には、許容電圧変動範囲を越えないようにしなければならないなど、各種の制約を受ける。本実施形態であれば、既設の電力インフラストラクチャを使用することによる各種の制約を受けることなく、需要家施設３０間での電力融通を実現できる。
また、蓄電池は、太陽電池などの発電手段と組み合わされて使用されることが一般的である。しかし、本実施形態の場合であれば、太陽電池がなくとも、例えば商用電源では不足する電力を電力配送による充電を受けることによって賄える。つまり、図１の需要家施設３０−２のように、太陽電池などの発電装置を備えない需要家施設であっても、例えばＨＥＭＳ（Home Energy Management System）などとしての蓄電池を備える電力管理システムを安価に構築し、運用することができる。
なお、上記の発電手段としては、特に限定されず、太陽電池の他に、風力発電装置、水力発電装置、地熱発電装置などを挙げることができる。
また、本実施形態のように配送車８００により電力の配送を行う電力配送システムは、例えば電力網が十分に整備されていないような地域において有効に活用できる。また、このような地域は、例えば山間部などであって道が狭く悪路である可能性も高いが、例えば配送車８００について軽自動車のトラックなどを使用することで、効率よく電力配送を行える。
【００４２】
図２は、電力配送管理装置１００の構成例を示している。同図に示す電力配送管理装置１００は、通信部１０１、制御部１０２、記憶部１０３、操作部１０４及び表示部１０５を備える。
通信部１０１は、外部との通信機能を有する部位を一括して示している。即ち、通信部１０１は、ネットワーク５０経由で各需要家施設３０のネットワーク端末５００と通信を実行する。また、通信部１０１は、蓄電池対応通信網４０経由で各需要家施設３０の蓄電池３００と通信を実行する。
【００４３】
制御部１０２は、電力配送管理装置１００における各種制御を実行する。制御部１０２としての機能は、電力配送管理装置１００が備えるＣＰＵ（Central Processing Unit）がプログラムを実行することによって実現される。
制御部１０２は、機能部として、必要充放電電力量取得部１２１、充放電価格決定部１２２、配送計画決定部１２３を備える。
【００４４】
必要充放電電力量取得部１２１は、各需要家施設３０の蓄電池３００の必要充電電力量または必要放電電力量を取得する。
充放電価格決定部１２２は、必要充放電電力量取得部１２１により取得された各蓄電池３００の必要充電電力量または必要放電電力量に基づいて、充電価格または放電価格を決定する。
配送計画決定部１２３は、必要充放電電力量取得部１２１により取得された各蓄電池３００の必要充電電力量または必要放電電力量に基づいて配送計画を決定する。
【００４５】
記憶部１０３は、制御部１０２が利用する各種の情報を記憶する。同図に示す記憶部１０３は、蓄電池仕様情報記憶部１３１、充放電注文情報記憶部１３２、必要充放電電力量記憶部１３３、充放電価格記憶部１３４及び配送計画記憶部１３５を備える。
【００４６】
蓄電池仕様情報記憶部１３１は、配送地域２０における需要家施設３０に備えられる蓄電池３００ごとの仕様（充電容量など）を示す蓄電池仕様情報を記憶する。
【００４７】
充放電注文情報記憶部１３２は、充放電注文を行った需要家からの充放電注文の内容を示す充放電注文情報を記憶する。
充放電注文情報記憶部１３２が記憶する充放電注文情報には、前述のように、ネットワーク端末５００が充放電注文用ウェブサイトにアクセスして行われた充放電注文の内容を示す充放電注文情報が含まれる。また、充放電注文情報記憶部１３２が記憶する充放電注文情報には、電話により需要家から受けた充放電注文の内容をオペレータが入力した充放電注文情報が含まれる。
【００４８】
必要充放電電力量記憶部１３３は、各需要家施設３０の蓄電池３００ごとの必要充電電力量または必要放電電力量を記憶する。必要充放電電力量記憶部１３３は、蓄電池３００ごとの必要充電電力量または必要放電電力量を、例えば必要充放電電力量テーブルの構造により記憶する。
図３は、必要充放電電力量テーブルの一例を示している。同図に示す必要充放電電力量テーブルは、需要家施設３０の蓄電池３００ごとに対応して、需要家ＩＤ、蓄電池ＩＤ及び必要充放電電力量の各領域を対応付けた構造である。
需要家ＩＤの領域は、対応の需要家施設３０の需要家に付与された需要家ＩＤを格納する。
蓄電池ＩＤの領域は、対応の蓄電池３００に付与された蓄電池ＩＤを格納する。
必要充放電電力量の領域は、対応の蓄電池３００について、必要充放電電力量取得部１２１により取得された必要充放電電力量を格納する。必要充放電電力量の領域に格納される正の値は必要充電電力量を示し、負の値は必要放電電力量を示す。
【００４９】
説明を図２に戻す。充放電価格記憶部１３４は、充放電価格決定部１２２により決定された需要家施設３０の需要家ごとの充放電価格を記憶する。充放電価格記憶部１３４は、需要家ごとの充放電価格を、充放電価格テーブルの構造により記憶する。
図４は、充放電価格テーブルの一例を示している。同図に示す充放電価格テーブルは、需要家ごとに、需要家ＩＤ、充電価格、放電価格を対応付けた構造である。１つの需要家に応じては、充電価格と放電価格とのいずれかが格納される。
【００５０】
説明を図２に戻す。配送計画記憶部１３５は、配送計画決定部１２３により決定された配送計画を記憶する。
【００５１】
操作部１０４は、電力配送管理装置１００が備える操作子や入力デバイスを一括して示している。例えば、オペレータが電話で受けた充放電注文に応じた充放電注文情報の入力は、オペレータが操作部１０４を操作することによって行われる。
表示部１０５は、制御部１０２の制御に応じて画像を表示する。
【００５２】
続いて、図５のフローチャートを参照して、電力配送管理装置１００が実行する処理手順例について説明する。
電力配送管理装置１００において、必要充放電電力量取得部１２１は、配送計画決定時間に至るのを待機している（ステップＳ１０１−ＮＯ）。
配送計画決定時間に至るのに応じて（ステップＳ１０１−ＹＥＳ）、必要充放電電力量取得部１２１は、以下のように各需要家施設３０の蓄電池３００の必要充放電電力量を決定するための処理を実行する。
【００５３】
まず、必要充放電電力量取得部１２１は、各需要家施設３０の蓄電池３００の必要充放電電力量を決定するにあたり、需要家施設３０について付与した番号を示す変数ｎについて初期値である「１」を代入する（ステップＳ１０２）。
【００５４】
次に、必要充放電電力量取得部１２１は、ｎ番目の需要家施設３０に備えられる蓄電池３００の蓄電池状態情報を取得する（ステップＳ１０３）。このために、必要充放電電力量取得部１２１は、通信部１０１からネットワーク５０経由で、ｎ番目の需要家施設３０に備えられる蓄電池３００に対して蓄電池状態情報要求を送信させる。蓄電池状態情報要求に応答して、ｎ番目の需要家施設３０の蓄電池３００は、自己の状態を示す蓄電池状態情報を返送してくる。必要充放電電力量取得部１２１は、このように返送された蓄電池状態情報を通信部１０１から取得する。
【００５５】
また、必要充放電電力量取得部１２１は、同じｎ番目の需要家施設３０の需要家からの充放電注文情報を、充放電注文情報記憶部１３２から取得する（ステップＳ１０４）。なお、ｎ番目の需要家施設３０の需要家からの充放電注文が無い場合には、充放電注文情報記憶部１３２には充放電注文情報が記憶されていない。この場合には、充放電注文情報を取得しなくともよい。
【００５６】
次に、必要充放電電力量取得部１２１は、ステップＳ１０３により取得した蓄電池状態情報と、ステップＳ１０４により取得した充放電注文情報との少なくともいずれか一方に基づいて、前述のように、ｎ番目の需要家施設３０の蓄電池３００についての必要充放電電力量を決定する（ステップＳ１０５）。
必要充放電電力量取得部１２１は、上記のように決定した必要充放電電力量を、必要充放電電力量記憶部１３３に記憶させる。
【００５７】
ステップＳ１０５により必要充放電電力量を決定した後、必要充放電電力量取得部１２１は、変数ｎをインクリメントする（ステップＳ１０６）。そのうえで、必要充放電電力量取得部１２１は、変数ｎについて最大値よりも大きいか否かについて判定する（ステップＳ１０７）。変数ｎの最大値は、配送地域２０における需要家施設３０の数が対応する。
【００５８】
変数ｎが最大値以下であることが判定された場合には（ステップＳ１０７−ＮＯ）、未だ、必要充放電電力量が決定されていない需要家施設３０の蓄電池３００が残っている。
そこで、この場合の必要充放電電力量取得部１２１は、処理をステップＳ１０３に戻すことにより、次の需要家施設３０の蓄電池３００についての必要充放電電力量を決定する処理に移行する。
【００５９】
そして、変数ｎが最大値を越えたことが判定されるのに応じて（ステップＳ１０７−ＹＥＳ）、充放電価格決定部１２２は充放電価格を決定する（ステップＳ１０８）。
ステップＳ１０８において、充放電価格決定部１２２は、これまでの処理により得られた各需要家施設３０の蓄電池３００の必要充放電電力量に基づいて充放電価格を決定する。
ステップＳ１０８においては、前述のように、需要家に一律（共通）の充電価格あるいは放電価格としての電力単価が決定されてもよいし、需要家ごとに個別の充電価格あるいは放電価格が決定されてもよい。
【００６０】
また、配送計画決定部１２３は、これまでの処理により得られた各需要家施設３０の蓄電池３００の必要充放電電力量に基づいて、配送計画を決定する（ステップＳ１０９）。
このように、図５の処理が電力配送管理装置１００にて実行されることにより、配送地域２０における需要家施設３０ごとの蓄電池３００の必要充放電電力量、充放電価格、及に配送計画が決定される。
そして、配送車８００は、電力配送管理装置１００により決定された配送計画に従って、決定された必要充放電電力量に応じた充電、放電を行うように、配送地域２０内の需要家施設３０を巡回する。
また、本実施形態の電力配送システムにおける電力配送サービス提供者は、上記のように配送車８００を用いた電力配送サービスを提供するとともに、電力配送管理装置１００にて決定された充放電価格に従って各需要家と料金の授受を行うことができる。
このように、本実施形態においては、電力配送移動体により需要家が備える蓄電池を対象として充電または放電を行わせる電力配送サービスを適切に運用することができる。
【００６１】
なお、蓄電池３００は、可換式のカートリッジを備えるカートリッジ式の構成であってもよい。カートリッジ式の蓄電池は、所定数のカートリッジのスロットを備え、スロットにはカートリッジが着脱可能である。カートリッジには所定数のバッテリセルが内蔵されている。
このように蓄電池３００がカートリッジ式である場合、配送車８００は、蓄電池３００と同規格の交換用のカートリッジを積載して移動し、配送作業者は、蓄電池３００に対する充電、放電にあたってカートリッジを交換していくようにすればよい。
また、例えば第三者による盗電などの需要家が望まない態様で蓄電池３００が使用されることがないように、蓄電池３００にはセキュリティ機構を設けることが好ましい。セキュリティ機構としては特に限定されるものではなく、例えばナンバー入力式やＩＣカードや生体認証などを使用した鍵を採用できる。
【００６２】
＜第２実施形態＞
続いて、第２実施形態について説明する。
図６は、本実施形態における電力配送システムの構成例を示している。同図において、図１と同一部分については同一符号を付し、ここでは主として図１との相違点について説明する。
【００６３】
同図に示すように、本実施形態における電力配送システムでは、配送地域２０において共用蓄電池９００がさらに備えられる。
共用蓄電池９００は、例えば各需要家施設３０に対して共通に設けられる蓄電池であり、例えば各需要家施設３０が備える蓄電池３００を上回る容量を有する。
また、共用蓄電池９００は、各需要家施設３０における蓄電池３００と同様に、蓄電池対応通信網４０を介して電力配送管理装置１００と通信可能に接続される。これにより、電力配送管理装置１００は、蓄電池３００と同様に共用蓄電池９００から送信される蓄電池状態情報を受信することで、共用蓄電池９００におけるＳＯＣなどの状態を認識することができる。
【００６４】
上記のように共用蓄電池９００を備える本実施形態の電力配送システムの運用は、例えば以下のようになる。
本実施形態における電力配送管理装置１００は、第１実施形態の場合と同様に、各需要家施設３０の蓄電池３００から送信される蓄電池状態情報を受信する。また、電力配送管理装置１００は、自己が提供する充放電注文用ウェブサイトに対して行われた需要家からの充電注文または放電注文を受ける。さらに、電力配送センタ１０におけるオペレータが、電話による需要家からの充電注文または放電注文を受ける。
電力配送管理装置１００は、上記のように受信された各蓄電池３００の蓄電池状態情報、需要家からの充電注文または放電注文に基づいて、需要家施設３０ごとにおける蓄電池３００の必要充放電電力量を決定する。
そして、電力配送管理装置１００は、各需要家施設３０の必要充放電電力量に基づいて、配送車８００による電力の配送計画を決定する。
【００６５】
ここで、本実施形態の電力配送システムにおいては、配送車８００が放電の対象となる蓄電池３００を放電させて蓄電池８０１に蓄積させた電力を共用蓄電池９００に充電し、共用蓄電池９００に電力を蓄積させる。
そして、配送車８００が充電の対象の蓄電池３００に電力を充電するにあたり、蓄電池３００への充電のための電力は、共用蓄電池９００に蓄積された電力を蓄電池８０１に充電することで用意できる。
【００６６】
即ち、本実施形態においては、配送地域２０において、需要家施設３０における蓄電池３００に蓄積された電力のうち、負荷への供給や他の需要家施設３０への融通が行われない余剰分を、配送車８００を介して共用蓄電池９００に集約させるようにして蓄積させる。
そして、配送車８００により充電の対象となる蓄電池３００を巡回して充電を行うにあたり、例えば、放電の対象となる蓄電池３００から集めた電力では、充電の対象となる蓄電池３００の全てに応じた充電電力を賄えないようになる場合がある。このような場合に、共用蓄電池９００に蓄積された電力で配送地域２０内の充電電力を補うために、共用蓄電池９００に蓄積されている電力を配送車８００の蓄電池８０１に充電させたうえで、充電対象の蓄電池３００を配送車８００により巡回して充電を行うことができる。
【００６７】
そして、本実施形態の電力配送管理装置１００は、上記のように、放電の対象の蓄電池３００から集められる電力に余剰分が生じる際には、余剰分の電力が共用蓄電池９００に蓄積されるように電力の配送計画（巡回経路）を決定する。
また、充電の対象の蓄電池３００への全ての充電電力が、放電の対象の蓄電池３００から集められる電力よりも少なければ、配送車８００の巡回行程において、充電の対象の蓄電池３００への充電のために不足する電力を共用蓄電池９００から配送車８００の蓄電池８０１に充電できるように電力の配送計画（巡回経路）を決定する。
【００６８】
このような構成では、例えば太陽電池４００の発電電力などを元として需要家施設３０の蓄電池３００に蓄積された電力を、充電を受けたい需要家の蓄電池３００に充電するようにして運用することができる。
従って、本実施形態のように配送地域２０において共用蓄電池９００を備えることによっては、例えば外部の電力インフラストラクチャからの電力供給を受けることなく、電力配送サービス提供者と配送地域２０の需要家施設３０とによる自立したエネルギー管理システムを容易に構築することができる。
【００６９】
また、本実施形態における電力配送管理装置１００は、配送地域２０において共用蓄電池９００を備えることに応じて、以下のように充放電価格を決定することができる。
即ち、本実施形態の電力配送管理装置１００における充放電価格決定部１２２は、共用蓄電池９００に蓄積されている電力量に基づいて、充電価格または放電価格を決定することができる。
本実施形態における共用蓄電池９００は、配送地域２０における需要家施設３０に共通の電源である。この観点からすれば、需要家が必要とする蓄電池３００の充放電電力と、共用蓄電池９００に蓄積される電力の価値との関係として以下のようなことがいえる。
即ち、蓄電池３００への充電を必要とする需要家施設３０が多くなるほど共用蓄電池９００に蓄積された電力量（ＳＯＣ）は減少する傾向となって、共用蓄電池９００に蓄積された電力の価値が高まる。
また、共用蓄電池９００のＳＯＣが少なくなるほど、共用蓄電池９００への充電の必要性が高まることから、需要家施設３０における蓄電池３００から売電として放電される電力の価値が高まる。
【００７０】
一方、蓄電池３００への充電を必要とする需要家施設３０が少なくなるほど共用蓄電池９００の電力の需要は少なくなる。このとき、配送地域２０における余剰電力も増加することから、蓄電池３００のＳＯＣは多い傾向となる。このような状態では、配送地域２０において需要家施設３０の外部からの融通を必要とする電力量の需要が少ないため、共用蓄電池９００に蓄積された電力の価値が低くなる。
また、共用蓄電池９００のＳＯＣが多くなるほど、共用蓄電池９００への充電の必要性も低くなることから、需要家施設３０における蓄電池３００から売電のために放電され、共用蓄電池９００に充電される電力の価値も低くなる。
【００７１】
そこで、本実施形態における充放電価格決定部１２２は、共用蓄電池９００のＳＯＣが少なくなるのに応じて充電価格と放電価格とのいずれも高くなるように設定する。逆に、充放電価格決定部１２２は、共用蓄電池９００のＳＯＣが多くなるのに応じて充電価格と放電価格とがいずれも低くなるように決定する。
【００７２】
また、本実施形態において充電価格と放電価格を決定するタイミングとしては、いくつかの例を挙げることができる。
例えば１つには、充放電価格決定部１２２は、配送計画決定時間において配送計画が決定される際の共用蓄電池９００のＳＯＣに基づいて、充電の対象の蓄電池３００を備える需要家施設３０の需要家についての充電価格と、放電の対象の蓄電池３００を備える需要家施設３０の需要家についての放電価格とを決定することができる。
【００７３】
また、充放電価格決定部１２２は、配送車８００の蓄電池８０１から共用蓄電池９００に対して充電を行う際の共用蓄電池９００のＳＯＣに基づいて、放電の対象の蓄電池３００を備える需要家施設３０の需要家の放電価格を決定することができる。
また、充放電価格決定部１２２は、共用蓄電池９００から配送車８００の蓄電池８０１に対して充電を行う際の共用蓄電池９００のＳＯＣに基づいて、充電の対象の蓄電池３００を備える需要家施設３０の需要家の充電価格を決定することができる。
【００７４】
なお、本実施形態において、充放電価格決定部１２２は、上記の共用蓄電池９００のＳＯＣとともに、先の第１実施形態における必要充電電力量及び必要放電電力量も併用して、需要家施設３０ごとに対応する充電価格と放電価格とを決定するようにしてもよい。
【００７５】
＜第３実施形態＞
続いて、第３実施形態について説明する。図７は、本実施形態における電力配送システムの構成例を示している。同図において、図１と同一部分については同一符号を付し、ここでは主として図１との相違点について説明する。
【００７６】
同図の電力配送システムは、配送地域２０の外に設置された発電サイト１０００をさらに含む。
発電サイト１０００は、大規模な発電装置１１００を備えた発電施設である。発電装置１１００の例としては、メガソーラーなどとも呼ばれる大規模な太陽光発電設備を挙げることができる。また、発電装置１１００としては、ウィンドファームなどと呼ばれる集合型の風力発電設備を挙げることができる。あるいは、発電装置１１００としては、火力発電の設備、水力発電の設備、地熱発電の設備などであってもよい。
【００７７】
そのうえで、発電サイト１０００においては、蓄電池１２００（地域外蓄電池の一例）が備えられる。蓄電池１２００は、配送車８００の蓄電池８０１に対して規模が大きい。蓄電池１２００は、発電装置１１００による発電電力を蓄積し、蓄積された電力を配送車８００の蓄電池８０１に充電するために設けられる。
なお、発電装置１１００が、例えば太陽光発電設備や風力発電設備などのように自然エネルギーを利用するものである場合、蓄電池１２００は、気象に応じた発電電力の急峻な変動を平滑化するために使用されてもよい。
蓄電池１２００には、例えば鉛電池やナトリウム・硫黄電池、レドックスフロー電池、リチウムイオン二次電池などを使用できる。
【００７８】
例えば、配送地域２０における必要充電電力が必要放電電力に対して一定以上に増加したような場合に、充電の対象の蓄電池３００の全てに充電するのに必要な電力を、放電の対象の蓄電池３００から賄うことが難しくなる場合がある。
このような場合、本実施形態では、配送車８００が発電サイト１０００にまで移動して、配送車８００の蓄電池８０１に対して、蓄電池１２００に蓄積された電力を充電することができる。これにより、配送車８００の蓄電池８０１には、配送地域２０にて充電の対象の蓄電池３００に充電するための電力が蓄積される。そこで、配送車８００は、配送地域２０を巡回し、蓄電池８０１に蓄積されている電力を、充電の対象の蓄電池３００に充電していく。
【００７９】
このような構成のもとで、例えば配送地域２０に対応する電力配送サービス提供者は、例えば、既設の電力インフラストラクチャから買電する場合よりも安価に、発電サイト１０００の蓄電池１２００からの電力供給を受けることができるように契約する。
これにより、本実施形態の電力配送システムのもとでは、既設の電力インフラストラクチャから電力の供給を受ける場合よりも低コストで必要な電力を調達できる。
【００８０】
本実施形態において、配送車８００の蓄電池８０１と発電サイト１０００の蓄電池１２００とのプラグなどについて同じ規格のもので統一するとよい。これにより、蓄電池１２００から蓄電池８０１への充電にあたり、蓄電池１２００と蓄電池８０１とを、例えばアダプタなどを介在させることなく、簡易に接続することができる。
【００８１】
また、例えば、発電サイト１０００の蓄電池１２００について、複数のカートリッジまたはコンテナなどにより構成したうえで、配送車８００の蓄電池８０１については、蓄電池１２００が備えるカートリッジまたはコンテナと同じ規格のものとするとよい。
このような構成により、配送車８００の蓄電池８０１を、発電サイト１０００の蓄電池１２００においてＳＯＣが一定以上のカートリッジまたはコンテナと交換することにより電力の供給を受けられるようにすることが可能になる。
【００８２】
なお、本実施形態において、１つの配送地域２０に対応して電力供給が可能な発電サイト１０００は複数であってもよい。発電サイト１０００が複数となることで、或る発電サイト１０００における蓄電池１２００のＳＯＣが不足している状態であっても、他の発電サイト１０００においてＳＯＣが高い蓄電池１２００から電力供給を受けることができる。これにより、配送地域２０が電力不足となるリスクを有効に押さえることができる。
また、複数の発電サイト１０００のうちから料金の低い発電サイト１０００を選んで電力の供給を受けることも可能になるので、コスト的にも有利となる。
【００８３】
＜第４実施形態＞
続いて、第４実施形態について説明する。図８は、本実施形態における電力配送システムの構成例を示している。同図において、図６と同一部分については同一符号を付し、ここでは主として図６との相違点について説明する。
【００８４】
本実施形態においては、配送地域２０内の需要家のうちで、蓄電池３００に代えて蓄電池搭載車３００Ａを所有する需要家が存在する。同図においては、需要家施設３０−１の需要家が、蓄電池３００に代えて蓄電池搭載車３００Ａを所有している例を示している。
【００８５】
本実施形態において蓄電池搭載車３００Ａは、動力であるモータと、モータを駆動する電源としての蓄電池３０１を備える車両である。
従って、本実施形態における蓄電池搭載車３００Ａは、燃料エンジンを備えない電気自動車（ＥＶ：Electric Vehicle）であってもよいし、燃料エンジンとモータと蓄電池を備えるハイブリッド車（ＨＶ：Hybrid Vehicle）であってもよい。また、蓄電池搭載車３００Ａは、例えばプラグインハイブリッドカー（ＰＨＶ：Plug-in Hybrid VehicleまたはＰＨＥＶ：Plug-in Hybrid Electric Vehicle）であってもよい。
【００８６】
そのうえで、本実施形態における蓄電池搭載車３００Ａの蓄電池３０１は、対応の需要家施設３０における負荷への電源としても使用される。即ち、本実施形態において、蓄電池搭載車３００Ａを備える需要家施設３０は、Ｖ２Ｈ（Vehicle To Home）システムとして構築される。
即ち、蓄電池搭載車３００Ａを所有する需要家は、蓄電池搭載車３００Ａを移動手段としても使用できるし、対応の需要家施設３０における負荷の電源としても使用できる。
【００８７】
また、本実施形態における蓄電池搭載車３００Ａは、蓄電池対応通信網４０を経由して電力配送センタ１０の電力配送管理装置１００と通信可能に接続される。蓄電池搭載車３００Ａは移動体である。このため、蓄電池搭載車３００Ａの蓄電池対応通信網４０経由での通信は無線によって行われる。
【００８８】
蓄電池搭載車３００Ａを備える需要家施設３０では、蓄電池搭載車３００Ａにおける蓄電池３０１のＳＯＣに応じて決定された必要充放電電力量または充放電注文に応じて、配送車８００による電力配送サービスを受けることができる。
つまり、蓄電池搭載車３００Ａを備える需要家施設３０では、配送車８００の蓄電池８０１から蓄電池搭載車３００Ａの蓄電池３０１に対する充電、または、蓄電池３０１から蓄電池８０１への充電が行われる。
【００８９】
上記のように、本実施形態においては、配送車８００の蓄電池８０１と蓄電池搭載車３００Ａの蓄電池３０１との間で充放電が行われる。そこで、蓄電池搭載車３００Ａの蓄電池３０１におけるプラグなどの規格については、配送車８００の蓄電池８０１と共通化されるようにして、アダプタなどを介在することなく、容易に接続できるようにすることが好ましい。
【００９０】
なお、上記のように配送車８００が巡回し、蓄電池８０１から蓄電池搭載車３００Ａの蓄電池３０１に充電する場合の充電価格は、例えば第２実施形態の場合と同様に決定されればよい。同様に、配送車８００が巡回し、蓄電池８０１に蓄電池３０１から放電させた電力を充電させる場合における放電価格も、例えば第２実施形態の場合と同様に決定されればよい。
【００９１】
そのうえで、蓄電池搭載車３００Ａは移動体である。そこで、蓄電池搭載車３００Ａを所有する需要家は、蓄電池搭載車３００Ａを運転して共用蓄電池９００まで移動させ、共用蓄電池９０を蓄電池搭載車３００Ａの充放電ステーションとして使用してもよい。
つまり、需要家は、共用蓄電池９００から蓄電池搭載車３００Ａの蓄電池３０１に充電を行ったり、蓄電池３０１から放電させた電力を共用蓄電池９００に充電させることができる。
【００９２】
そして、上記のように蓄電池搭載車３００Ａの蓄電池３０１と共用蓄電池９００との間で電力受給を行った場合、電力配送管理装置１００における充放電価格決定部１２２は、以下のように充放電価格を決定してもよい。
つまり、充放電価格決定部１２２は、共用蓄電池９００から蓄電池搭載車３００Ａの蓄電池３０１への充電が直接行われた場合、配送車８００の巡回によって蓄電池搭載車３００Ａの蓄電池３０１に充電が行われる場合よりも、低い充電価格を設定する。
また、充放電価格決定部１２２は、蓄電池搭載車３００Ａの蓄電池３０１から共用蓄電池９００への充電が直接行われた場合には以下のように放電価格を設定する。つまり、充放電価格決定部１２２は、需要家施設３０に巡回してきた配送車８００の蓄電池８０１に蓄電池搭載車３００Ａの蓄電池３０１から電力を充電させる場合よりも高い放電価格を設定する。
即ち、蓄電池搭載車３００Ａの蓄電池３０１と共用蓄電池９００との間で電力の受給が行われた場合には、配送車８００が需要家施設３０にまで移動することによるコストが削減される。そこで、このような場合には、配送車８００が需要家施設３０にまで赴いて充放電を行った場合よりも需要家に利益が生じるように充放電価格を設定する。
【００９３】
なお、第２実施形態または第４実施形態のように共用蓄電池９００を備える構成のもとでは、例えば、変形例として、複数の配送地域２０をさらに１つの大規模配送地域とし、大規模配送地域に対応する共用蓄電池を設けるように構成してもよい。
大規模配送地域に対応する共用蓄電池は、配送地域２０ごとの共用蓄電池９００に対して上位の共用蓄電池となる。
そして、大規模配送地域においては、上位の配送車を稼働させる。上位の配送車は、配送地域２０ごとの共用蓄電池９００に蓄積された余剰の電力を収集し、収集した電力を上位の共用蓄電池に蓄積させる。また上位の配送車が上位の共用蓄電池から充電を受けた電力を、配送地域２０において電力が不足している共用蓄電池９００に対して充電するようにしてもよい。
共用蓄電池９００は、例えば既設の電力インフラストラクチャが供給する商用電源と接続された構成とすることもできる。
【００９４】
なお、上記各実施形態においては、変形例として、例えば同じ配送地域２０において複数の配送車８００が稼働している場合、複数の配送車８００の蓄電池８０１間で電力の融通（受給）が行われるようにしてもよい。
【００９５】
なお、電力配送移動体としては配送車８００などの車両には限定されるものではなく、船舶、航空機、ヘリコプターなどであってもよい。
【００９６】
なお、上述の電力配送管理装置１００としての機能を実現するためのプログラムをコンピュータ読み取り可能な記録媒体に記録して、この記録媒体に記録されたプログラムをコンピュータシステムに読み込ませ、実行することにより上述の電力配送管理装置１００としての処理を行ってもよい。ここで、「記録媒体に記録されたプログラムをコンピュータシステムに読み込ませ、実行する」とは、コンピュータシステムにプログラムをインストールすることを含む。ここでいう「コンピュータシステム」とは、ＯＳや周辺機器等のハードウェアを含むものとする。また、「コンピュータシステム」は、インターネットやＷＡＮ、ＬＡＮ、専用回線等の通信回線を含むネットワークを介して接続された複数のコンピュータ装置を含んでもよい。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。このように、プログラムを記憶した記録媒体は、ＣＤ−ＲＯＭ等の非一過性の記録媒体であってもよい。また、記録媒体には、当該プログラムを配信するために配信サーバからアクセス可能な内部または外部に設けられた記録媒体も含まれる。配信サーバの記録媒体に記憶されるプログラムのコードは、端末装置で実行可能な形式のプログラムのコードと異なるものでもよい。
すなわち、配信サーバからダウンロードされて端末装置で実行可能な形でインストールができるものであれば、配信サーバで記憶される形式は問わない。なお、プログラムを複数に分割し、それぞれ異なるタイミングでダウンロードした後に端末装置で合体される構成や、分割されたプログラムのそれぞれを配信する配信サーバが異なっていてもよい。さらに「コンピュータ読み取り可能な記録媒体」とは、ネットワークを介してプログラムが送信された場合のサーバやクライアントとなるコンピュータシステム内部の揮発性メモリ（ＲＡＭ）のように、一定時間プログラムを保持しているものも含むものとする。また、上記プログラムは、上述した機能の一部を実現するためのものであってもよい。さらに、上述した機能をコンピュータシステムにすでに記録されているプログラムとの組み合わせで実現できるもの、いわゆる差分ファイル（差分プログラム）であってもよい。
【符号の説明】
【００９７】
１０  電力配送センタ、２０  配送地域、４０  蓄電池対応通信網、５０  ネットワーク、１００  電力配送管理装置、１０１  通信部、１０２  制御部、１０３  記憶部、１０４  操作部、１０５  表示部、１２１  必要充放電電力量取得部、１２２  充放電価格決定部、１２３  配送計画決定部、１３１  蓄電池仕様情報記憶部、１３２  充放電注文情報記憶部、１３３  必要充放電電力量記憶部、１３４  充放電価格記憶部、１３５  配送計画記憶部、２００  電話機、３００  蓄電池、３００Ａ  蓄電池搭載車、３０１  蓄電池、４００  太陽電池、５００  ネットワーク端末、６００  電話機、８００  配送車、８０１  蓄電池、８０２  充放電装置、９００  共用蓄電池、１０００  発電サイト、１１００  発電装置、１２００  蓄電池
【図１】
0006445908.tif 000002
【図２】
0006445908.tif 000003
【図３】
0006445908.tif 000004
【図４】
0006445908.tif 000005
【図５】
0006445908.tif 000006
【図６】
0006445908.tif 000007
【図７】
0006445908.tif 000008
【図８】
0006445908.tif 000009